(57)【要約】      （修正有）【課題】プレイヤーがゴルフボールに線を描いたり、標記したりするのに便利な、ゴルフボールの印付け器を提供する。【解決手段】ボール台座１１と、標線蓋１２と、底板１３とからなる。ボール台座１１内には、ゴルフボールが収容される凹溝が設けられ、凹溝底部には開口が設けられ、凹溝内には、滑り止めシート１１５が設けられる。ボール台座１１は、更にその表面に、標線蓋１２、及び少なくとも一つの底板１３が組み合わされる。標線蓋１２には、開溝１２２が設けられる。少なくとも一つの底板１３には、複数の記号１３２が透かし彫りに設けられる。【選択図】図１
0003187442.tif 000002
【実用新案登録請求の範囲】
【請求項１】
ボール台座と、標線蓋と、底板とからなるゴルフボールの印付け器であって、
前記ボール台座は、その内部にゴルフボールが収容される凹溝が設けられ、前記凹溝底部には開口が設けられ、前記凹溝内には、滑り止めシートが設けられ、更にその頂部及び底部の表面に、それぞれ位置決め部が設けられて、相対位置決め部を備えた標線蓋、及び少なくとも一つの底板と固定され、
前記標線蓋には、開溝が設けられ、
少なくとも一つの前記底板には、複数の記号が透かし彫りに設けられ、
以上により、プレイヤーがゴルフボールに線を描いたり、標記したりするのに便利な構造をなすことを特徴とする、ゴルフボールの印付け器。
【請求項２】
前記ボール台座頂面に設けられた位置決め部は、位置決め溝（或いは位置決め柱）をなし、前記標線蓋の相対位置決め部は、位置決め柱（或いは位置決め溝）をなすことを特徴とする、請求項１に記載のゴルフボールの印付け器。
【請求項３】
前記ボール台座底面に設けられた位置決め部は、複数の位置決め凸点（或いは位置決め孔）をなし、前記底板の相対位置決め部は、位置決め孔（或いは位置決め凸点）をなすことを特徴とする、請求項１に記載のゴルフボールの印付け器。
【考案の詳細な説明】
【技術分野】
【０００１】
本考案は、ゴルフボールに線を描いたり、標記したりするのに便利なゴルフボールの印付け器に関し、特に、ゴルフボールを使ったスポーツに適した、ゴルフボールの印付け器に関する。
【背景技術】
【０００２】
ゴルフボールは、全身を回転させる運動であり、身体の全部位を対応させ合いスイングのチャンスを掴まなければ、完全な打撃の動作はできない。例えば打球点の位置・打球の角度・ゴルフクラブを振る力といった要素のうち、どれか一つでも微調整するだけで、ボールの進行方向と飛行距離が変わってくる。よって、絶えず練習をすることで、毎回のショットを完璧にし、更にボールの進行方向と落下地点を予め設定した目標に到達させることができる。
【０００３】
プレイヤーは、ゴルフクラブを振る際の正確度を上げるため、ゴルフボールの中心に例えば、水平中心線・十字線といった記号を記し、この記号を打球の照準を合わせる際の助けとする。加えて、ゴルフボールをする場合の人数は、通常１人から３人、最多で４人一組である。プレイヤーは、一部のブランドボールに対して特別な愛着と誠意を抱いており、ボールの外観が似通っているために、ボールの打ち間違いや識別が原因で口論になることが頻繁にある。ゴルフボールは、製造元や大きさの違いを除けば外観が完全に同じであるため、多くの人がプレーを始めた後に球探しをしたり、ボールを打ち間違えたりといった困ったトラブルが頻繁に発生しており、改善の余地がある。
【考案の概要】
【考案が解決しようとする課題】
【０００４】
そこで、本考案は、ゴルフボールに線を描いたり、標記したりするのに便利な、ゴルフボールの印付け器を提供することを目的とする。
【課題を解決するための手段】
【０００５】
上述の目的を達成するため、本考案のゴルフボールの印付け器は、ボール台座と、標線蓋と、底板とからなる。前記ボール台座内には、ゴルフボールが収容される凹溝が設けられ、前記凹溝底部には開口が設けられ、前記凹溝内には、滑り止めシートが設けられる。前記ボール台座は、更にその頂部及び底部の表面に、それぞれ位置決め部が設けられて、相対位置決め部を備えた標線蓋、及び少なくとも一つの底板と固定される。前記標線蓋には、開溝が設けられる。少なくとも一つの前記底板には、複数の記号が透かし彫りに設けられる。以上により、プレイヤーがゴルフボールに線を描いたり、標記したりするのに便利な構造をなす。
【０００６】
前述のゴルフボールの印付け器において、前記ボール台座頂面に設けられた位置決め部は、位置決め溝（或いは位置決め柱）をなし、前記標線蓋の相対位置決め部は位置決め柱（或いは位置決め溝）をなす。
【０００７】
前述のゴルフボールの印付け器において、前記ボール台座底面に設けられた位置決め部は、複数の位置決め凸点（或いは位置決め孔）をなし、前記底板の相対位置決め部は、位置決め孔（或いは位置決め凸点）をなす。
【考案の効果】
【０００８】
本考案は、従来技術に比べ以下の点において優れている。
【０００９】
１、ボール台座凹溝内の滑り止めシートによって、中に置かれたゴルフボールが回転しないようにする。また、標線蓋がゴルフボールに被せられつつも、まだ位置決めされていない時、前記ゴルフボールを必要且つ好みの位置に自由に調整することができる。線を描く位置が決まった後、標線蓋でゴルフボールが動かないように位置決めし、ボールの表面に標線を描く。これにより、打球者がゴルフクラブを振る時に方向性を掴みやすくなる。
【００１０】
２、使用者は、底板上の透かし彫り記号を選んだ後、底板及びボール台座にそれぞれ対応して設けられた位置決め部によって位置決めし、ゴルフボールに打球者の好む且つ打球者を示す記号を描くことにより、打球者がボールを見分けにくいという欠点を改善することができる。
【図面の簡単な説明】
【００１１】
【図１】本考案の実施例の斜視外観図である。
【図２】本考案の実施例の構成部品の分解図である。
【図３】本考案の実施例において、ゴルフボールに方向を示す標線を描く様子を示した、使用状態図である。
【図４】本考案の実施例において、ゴルフボールに打者を示す記号を描く様子を示した、もう一つの使用状態図である。
【考案を実施するための形態】
【００１２】
本考案の具体的な実施例について、以下で説明する。
【００１３】
図１、図２を参照する。本考案のゴルフボールの印付け器１は、ボール台座１１と、標線蓋１２と、底板１３とからなる。ボール台座１１内には、ゴルフボールが収容される凹溝１１１が設けられ、凹溝１１１底部には開口１１２が設けられ、凹溝１１１内には、滑り止めシート１１５が設けられる。ボール台座１１は、更にその頂部及び底部の表面に、それぞれ位置決め部１１３・１１４が設けられて、相対位置決め部１２１・１３１を備えた標線蓋１２、及び少なくとも一つの底板１３と固定される。標線蓋１２は、ゴルフボールに応じた半径の弧状蓋をなすとともに、その弧状蓋中央に開溝１２２が設けられ、その両端底縁にボール台座１１頂面の位置決め部１１３に応じて相対位置決め部１２１が設けられる。ボール台座１１頂面の位置決め部１１３は、位置決め凹溝（或いは位置決め凸柱）をなし、これに対応する標線蓋１２の相対位置決め部１２１は、位置決め凸柱（或いは位置決め凹溝）をなす。ボール台座１１底面の開口１１２周縁には、更に浅凹溝が設けられて少なくとも一つの底板１３と組み合わされ、前記浅凹溝の上下縁にはそれぞれ位置決め部１１４が設けられる。少なくとも一つの底板１３は、浅凹溝の上下縁の位置決め部１１４に応じて相対位置決め部１３１が設けられる。ボール台座１１底面の位置決め部１１４は、位置決め孔（或いは位置決め凸点）をなし、これに対応する少なくとも一つの底板１３における相対位置決め部１３１は、位置決め凸点（或いは位置決め孔）をなす。更に、少なくとも一つの底板１３には、複数の記号１３２が設けられ、記号１３２は、稲妻・星・ハート・菱形・三角形・スペード・ブーメランといった形状の透かし彫りに設けられる。
【００１４】
一般的なゴルフボール５は、サイズが同じであり、その直径も約４１．６ｍｍ〜４２．８ｍｍの間である。よって、ゴルフボール５をボール台座１１の凹溝１１１に置いた時、標線蓋１２をボール台座１１の上方から被せて、標線蓋１２両端底縁の相対位置決め部１２１と、これに対応するボール台座１１頂面の位置決め部１１３を合わせ、標線蓋１２がゴルフボール５の表面に覆いかぶさるようにする。この時、ゴルフボール５がまだ凹溝１１１内に押し入れられていないため、使用者は手でゴルフボール５を回転させて好みの角度・位置に調整することができる。ゴルフボール５の角度・位置を決めた後、標線蓋１２を軽く押すことによって、標線蓋１２の相対位置決め部１２１とボール台座１１の位置決め部１１３が合わさり固定される。これにより、ゴルフボール５は、凹溝１１１内壁の滑り止めシート１１５と接触し合い、ボール台座１１と標線蓋１２の間にしっかりと固定される。加えて、ペン６で標線蓋１２の開溝１２２をなぞることにより（図３を参照）、ゴルフボール５にペン６のインクが開溝１２２の形状に印される。以上により、使用者はゴルフボール５を打球する時に、照準を合わせやすくなる。
【００１５】
また、ゴルフボール５は、種々の異なるブランドとサイズがあるものの、体積が小さく見分けにくいため、打ち間違えが発生する。選手によるボールの打ち間違えを防止するため、競技に参加する選手に少なくとも一つの底板１３上の記号１３２を各自選んでもらい、選ばれた記号１３２上下における相対位置決め部１３１とボール台座１１底面の位置決め部１１４を合わせて固定し、異なる色のペン６で底板１３上の記号１３２をなぞる（図４を参照）ことで、ゴルフボール５にペン６の異なる色のインクが記号１３２の形状に印される。以上により、各選手は、異なる色の記号１３２によって、より簡単に自分の打ったゴルフボール５を見分けることができる。
【符号の説明】
【００１６】
１            ゴルフボールの印付け器
１１   ボール台座
１１１ 凹溝
１１２ 開口
１１３ 位置決め部
１１４ 位置決め部
１１５ 滑り止めシート
１２   標線蓋
１２１ 相対位置決め部
１２２ 開溝
１３   底板
１３１ 相対位置決め部
１３２ 記号
５            ゴルフボール
６            ペン
【図１】
0003187442.tif 000003
【図２】
0003187442.tif 000004
【図３】
0003187442.tif 000005
【図４】
0003187442.tif 000006